(57)【要約】【課題】本発明は、名刺交換した相手からのアクセスを認証する認証装置、端末装置、当該名刺が収納される名刺入れ、当該認証装置で実行されるコンピュータプログラム及び認証システムを提供する。【解決手段】第１認証サーバ装置１は、名刺交換した自己名刺及び相手ユーザから受け取った相手名刺に基づく自己名刺情報及び相手名刺情報の対を記憶して登録する。第１認証サーバ装置１は、各ＰＤＡ６から第１管理サーバ装置２が管理している個人情報に対するアクセスを受付けた場合、登録した対が当該アクセスに含まれているか否かを判定する。第１認証サーバ装置１は、登録した対が含まれていると判定した場合、名刺交換した正当な相手からのアクセスであると認証する。第１認証サーバ装置１は、正当な相手からのアクセスに応じて要求された個人情報を各ＰＤＡ６に送信する。【選択図】図１
2010182117.tif 000002
【特許請求の範囲】
【請求項１】
複数のユーザ夫々が名刺交換した相手ユーザからのアクセスを受付けて認証する認証装置において、
前記複数のユーザ夫々が相手ユーザに与えた自己名刺及び相手ユーザから受け取った相手名刺夫々に基づいて取得した自己名刺情報及び相手名刺情報の対を記憶する対記憶手段と、
前記アクセスが前記対記憶手段により記憶した対を含むか否かを判定する対判定手段と、
該対判定手段により前記アクセスが前記対を含むと判定した場合、前記アクセスが正当である旨の結果を出力する出力手段と
を備えることを特徴とする認証装置。
【請求項２】
前記対記憶手段は、名刺交換した日時を前記対に関連付けて記憶するよう構成してあり、
前記対判定手段により前記アクセスが前記対を含むと判定した場合、前記対に関連付けて前記対記憶手段により記憶した日時から所定期間前後の日時を更に含むか否かを判定する日時判定手段を備え、
前記出力手段は、前記日時判定手段により前記アクセスが該日時を含むと判定した場合、前記アクセスが正当である旨の結果を出力するよう構成してある
ことを特徴とする請求項１に記載の認証装置。
【請求項３】
複数のユーザ夫々のスケジュールを取得するスケジュール取得手段を備え、
前記対記憶手段は、前記日時を前記スケジュールから読み出して記憶するよう構成してある
ことを特徴とする請求項２に記載の認証装置。
【請求項４】
前記対記憶手段は、名刺交換した場所を示す位置を前記対に関連付けて記憶するよう構成してあり、
前記対判定手段により前記アクセスが前記対を含むと判定した場合、前記対に関連付けて前記対記憶手段により記憶した位置から所定距離内の位置を更に含むか否かを判定する位置判定手段を備え、
前記出力手段は、前記位置判定手段により前記アクセスが該位置を含むと判定した場合、前記アクセスが正当である旨の結果を出力するよう構成してある
ことを特徴とする請求項１から請求項３までのいずれか一項に記載の認証装置。
【請求項５】
複数のユーザ夫々のスケジュールを取得するスケジュール取得手段を備え、
前記対記憶手段は、前記位置を前記スケジュールから取得して記憶するよう構成してある
ことを特徴とする請求項４に記載の認証装置。
【請求項６】
前記出力手段により前記アクセスが正当である旨の結果を出力した場合、前記アクセスに応じて複数の処理夫々を許可する許可手段と、
前記許可手段が許可する複数の処理夫々を前記相手ユーザに関連付けて受付ける受付手段と、
該受付手段が受付けた複数の処理夫々を前記相手ユーザに関連付けて記憶する処理記憶手段と
を備え、
前記許可手段は、前記アクセスに含まれる前記対から前記自己名刺情報を取得し、前記自己名刺情報に対応する相手ユーザに関連付けて前記処理記憶部に記憶してある複数の処理夫々を許可するよう構成してある
ことを特徴とする請求項１から請求項５までのいずれか一項に記載の認証装置。
【請求項７】
前記複数のユーザ夫々の個人情報を記憶してあるデータベースが接続してあり、
前記複数の処理は、
前記相手ユーザに対して前記個人情報の送信を禁止する処理と、
前記相手ユーザに対して前記個人情報を送信する処理と、
前記相手ユーザに関する外部装置に対して前記個人情報を送信する処理と
であることを特徴とする請求項６に記載の認証装置。
【請求項８】
前記相手ユーザにより操作されて請求項１から請求項７までのいずれか一項に記載の認証装置にアクセスする端末装置であって、
名刺交換された名刺夫々に基づいて前記対を取得する対取得手段と、
該対取得手段が取得した対と共にアクセスするアクセス手段と
を備えることを特徴とする端末装置。
【請求項９】
前記対取得手段は、名刺交換された名刺夫々に記載された文字情報を読み取って前記対を取得するよう構成してあることを特徴とする請求項８に記載の端末装置。
【請求項１０】
時計部と、
前記対取得手段により前記対を取得した場合、前記時計部で計時された日時を前記対に関連付けて記憶する日時記憶手段と
を備え、
前記アクセス手段は、前記対に関連付けて前記日時記憶手段により記憶した日時と共にアクセスするよう構成してある
ことを特徴とする請求項８又は請求項９に記載の端末装置。
【請求項１１】
名刺に記録された日時を読み取って取得する日時取得手段を備え、
前記アクセス手段は、前記日時取得手段が取得した日時と共にアクセスするよう構成してある
ことを特徴とする請求項８又は請求項９に記載の端末装置。
【請求項１２】
位置を取得する位置取得部と、
前記対取得手段により前記対を取得した場合、前記位置取得部で取得された位置を前記対に関連付けて記憶する位置記憶手段と
を備え、
前記アクセス手段は、前記対に関連付けて前記位置記憶手段により記憶した位置と共にアクセスするよう構成してある
ことを特徴とする請求項８から請求項１１までのいずれか一項に記載の端末装置。
【請求項１３】
請求項１１に記載の端末装置が読み取る名刺に日時を記録する名刺入れであって、
前記名刺を１つ又は複数収納する収納部と、
時計部と、
前記名刺に前記時計部で計時された日時を記録する記録手段と、
前記名刺が前記収納部から所定範囲内に位置する場合、前記名刺に記録してある日時を前記時計部で計時された日時を用いて書換える書換手段と
を備えることを特徴とする名刺入れ。
【請求項１４】
複数のユーザ夫々が名刺交換した相手ユーザからのアクセスを受付ける認証装置が備えるコンピュータに前記アクセスを認証させるコンピュータプログラムにおいて、
前記コンピュータに、
前記複数のユーザ夫々が相手ユーザに与えた自己名刺及び相手ユーザから受け取った相手名刺夫々に基づいて取得した自己名刺情報及び相手名刺情報の対を記憶する対記憶ステップと、
前記アクセスが前記対記憶手段により記憶した対を含むか否かを判定する対判定ステップと、
該対判定手段により前記アクセスが前記対を含むと判定した場合、前記アクセスが正当である旨の結果を出力する出力ステップと
を実行させることを特徴とするコンピュータプログラム。
【請求項１５】
複数のユーザにより操作される認証装置及び前記複数のユーザ夫々が名刺交換した相手ユーザにより操作される端末装置からなり、該端末装置からのアクセスを前記認証装置が受付けて認証する認証システムにおいて、
前記認証装置は、
前記複数のユーザ夫々が相手ユーザに与えた自己名刺及び相手ユーザから受け取った相手名刺夫々に基づいて取得した自己名刺情報及び相手名刺情報の対を記憶する対記憶手段と、
前記アクセスが前記対記憶手段により記憶した対を含むか否かを判定する対判定手段と、
該対判定手段により前記アクセスが前記対を含むと判定した場合、前記アクセスが正当である旨の結果を出力する出力手段と
を備え、
前記端末装置は、
前記自己名刺及び前記相手名刺夫々に基づいて前記対を取得する対取得手段と、
該対取得手段が取得した対と共に前記認証装置にアクセスするアクセス手段と
を備えることを特徴とする認証システム。
【発明の詳細な説明】
【技術分野】
【０００１】
本発明は、名刺交換した相手からのアクセスを認証する認証装置、当該認証装置にアクセスする端末装置、名刺交換に用いられる名刺を収納する名刺入れ、当該認証装置で実行されるコンピュータプログラム及び認証システムに関する。
【背景技術】
【０００２】
面会した複数の人が紙の名刺を交換することにより、互いの氏名、所属及び肩書きを知らせる方法がビジネスにおいて広く使われている。名刺交換した後に所属及び肩書きが変更された場合、名刺交換を行った相手に変更された内容を連絡する必要がある。そこで、特許文献１には、名刺交換した相手に変更された名刺の内容を通知する名刺情報管理システムが記載されている。特許文献１に記載の名刺情報管理システムは、複数の名刺に記載された内容からなる名刺情報を管理しており、名刺交換した場合、相手及び自己の名刺からなる対を取得して登録するようにしてある。また、特許文献１に記載の名刺情報管理システムは、管理している複数の名刺情報のうち、変更された名刺情報を登録してある対に基づいて名刺交換した相手に通知するようにしてある。
【０００３】
社員の個人情報を管理する管理サーバ装置が各会社に設置されて広く使われている。管理サーバ装置は、各社員の個人情報の変更に応じて、管理している個人情報を随時変更するようにしてある。また、管理サーバ装置は、記憶部に個人情報を記憶するため、名刺の記載内容よりも詳細な情報を管理可能である。そこで、名刺交換した相手からのアクセスを受付けて管理サーバ装置が管理している個人情報を送信することにより、名刺交換した相手に、詳細な個人情報を迅速に通知するシステムが考えられる。このようなシステムの場合、名刺交換していない他者に対して個人情報が漏洩することを防止するために、受付けたアクセスを認証する必要がある。
【先行技術文献】
【特許文献】
【０００４】
【特許文献１】特開２００５−１０７８７７号公報
【発明の概要】
【発明が解決しようとする課題】
【０００５】
しかしながら、特許文献１に記載の名刺情報管理システムは、変更された名刺情報を登録された対に基づいて相手に通知するのみであり、相手からのアクセスを認証して管理サーバ装置が管理している個人情報を通知することができないという問題があった。
【０００６】
本発明は斯かる事情に鑑みてなされたものであり、自己の名刺及び相手ユーザから受け取った名刺夫々に基づく自己名刺情報及び相手名刺情報の対が受付けたアクセスに含まれているか否かを判定し、含まれている場合に正当なアクセスである旨の結果を出力する出力手段を備えることにより、名刺交換した相手からのアクセスを認証して管理サーバ装置が管理している個人情報を通知可能にする認証装置、端末装置、当該名刺が収納される名刺入れ、当該認証装置で実行されるコンピュータプログラム及び認証システムを提供することを目的とする。
【課題を解決するための手段】
【０００７】
本発明に係る認証装置は、複数のユーザ夫々が名刺交換した相手ユーザからのアクセスを受付けて認証する認証装置において、前記複数のユーザ夫々が相手ユーザに与えた自己名刺及び相手ユーザから受け取った相手名刺夫々に基づいて取得した自己名刺情報及び相手名刺情報の対を記憶する対記憶手段と、前記アクセスが前記対記憶手段により記憶した対を含むか否かを判定する対判定手段と、該対判定手段により前記アクセスが前記対を含むと判定した場合、前記アクセスが正当である旨の結果を出力する出力手段とを備えることを特徴とする。
【０００８】
本発明にあっては、自己の名刺及び相手ユーザから受け取った名刺夫々に基づいて取得した名刺情報の対が、受付けたアクセスに含まれている場合、当該アクセスが名刺交換した相手ユーザから受付けた正当なものである旨の結果が出力される。
【０００９】
本発明に係る認証装置は、前記対記憶手段は、名刺交換した日時を前記対に関連付けて記憶するよう構成してあり、前記対判定手段により前記アクセスが前記対を含むと判定した場合、前記対に関連付けて前記対記憶手段により記憶した日時から所定期間前後の日時を更に含むか否かを判定する日時判定手段を備え、前記出力手段は、前記日時判定手段により前記アクセスが該日時を含むと判定した場合、前記アクセスが正当である旨の結果を出力するよう構成してあることを特徴とする。
【００１０】
本発明にあっては、名刺交換した日時から所定期間内の日時情報が、受付けたアクセスに含まれている場合、当該アクセスは、実際に面会して名刺交換した相手ユーザから受付けた正当なものである旨の結果が出力される。
【００１１】
本発明に係る認証装置は、複数のユーザ夫々のスケジュールを取得するスケジュール取得手段を備え、前記対記憶手段は、前記日時を前記スケジュールから読み出して記憶するよう構成してあることを特徴とする。
【００１２】
本発明にあっては、受付けたアクセスに含まれる日時がユーザのスケジュールに含まれている場合、当該アクセスは、スケジュールに従って予定された日時で面会し、名刺交換した相手ユーザから受付けた正当なものである旨の結果が出力される。
【００１３】
本発明に係る認証装置は、前記対記憶手段は、名刺交換した場所を示す位置を前記対に関連付けて記憶するよう構成してあり、前記対判定手段により前記アクセスが前記対を含むと判定した場合、前記対に関連付けて前記対記憶手段により記憶した位置から所定距離内の位置を更に含むか否かを判定する位置判定手段を備え、前記出力手段は、前記位置判定手段により前記アクセスが該位置を含むと判定した場合、前記アクセスが正当である旨の結果を出力するよう構成してあることを特徴とする。
【００１４】
本発明にあっては、受付けたアクセスに含まれる位置が名刺交換を行った場所から所定距離内である場合、当該アクセスは、実際に面会して名刺交換した相手ユーザから受付けた正当なものである旨の結果が出力される。
【００１５】
本発明に係る認証装置は、複数のユーザ夫々のスケジュールを取得するスケジュール取得手段を備え、前記対記憶手段は、前記位置を前記スケジュールから取得して記憶するよう構成してあることを特徴とする。
【００１６】
本発明にあっては、受付けたアクセスに含まれる位置がユーザのスケジュールに含まれている場合、当該アクセスは、スケジュールに従って予定された場所で面会し、名刺交換した相手ユーザから受付けた正当なものである旨の結果が出力される。
【００１７】
本発明に係る認証装置は、前記出力手段により前記アクセスが正当である旨の結果を出力した場合、前記アクセスに応じて複数の処理夫々を許可する許可手段と、前記許可手段が許可する複数の処理夫々を前記相手ユーザに関連付けて受付ける受付手段と、該受付手段が受付けた複数の処理夫々を前記相手ユーザに関連付けて記憶する処理記憶手段とを備え、前記許可手段は、前記アクセスに含まれる前記対から前記自己名刺情報を取得し、前記自己名刺情報に対応する相手ユーザに関連付けて前記処理記憶部に記憶してある複数の処理夫々を許可するよう構成してあることを特徴とする。
【００１８】
本発明にあっては、相手ユーザからのアクセスが正当なものである旨の結果が出力された場合、相手ユーザに関連付けて予め記憶してあるアクセスレベルに応じて複数の処理夫々が許可される。
【００１９】
本発明に係る認証装置は、前記複数のユーザ夫々の個人情報を記憶してあるデータベースが接続してあり、前記複数の処理は、前記相手ユーザに対して前記個人情報の送信を禁止する処理と、前記相手ユーザに対して前記個人情報を送信する処理と、前記相手ユーザに関する外部装置に対して前記個人情報を送信する処理とであることを特徴とする。
【００２０】
本発明にあっては、アクセスを受付けた相手ユーザに対して設定されているアクセスレベルが最も低い場合、データベースに記憶してある個人情報の相手ユーザへの送信が禁止される。アクセスレベルが最も高い場合、相手ユーザ及び相手ユーザに関する外部装置、例えば相手ユーザが勤務する会社に設置された管理サーバ装置へ個人情報が送信される。また、アクセスレベルが中程度である場合、相手ユーザにのみ個人情報が送信される。
【００２１】
本発明に係る端末装置は、前記相手ユーザにより操作されて前述の認証装置にアクセスする端末装置であって、名刺交換された名刺夫々に基づいて前記対を取得する対取得手段と、該対取得手段が取得した対と共にアクセスするアクセス手段とを備えることを特徴とする。
【００２２】
本発明にあっては、名刺交換された名刺夫々に基づいて端末装置が自己名刺情報及び相手名刺情報からなる対を取得する。端末装置は、正当なアクセスであることを示すべく、当該対と共に認証装置へアクセスする。
【００２３】
本発明に係る端末装置は、前記対取得手段は、名刺交換された名刺夫々に記載された文字情報を読み取って前記対を取得するよう構成してあることを特徴とする。
【００２４】
本発明にあっては、名刺交換された名刺夫々の記載内容を端末装置が読み取って自己名刺情報及び相手名刺情報からなる対を取得する。
【００２５】
本発明に係る端末装置は、時計部と、前記対取得手段により前記対を取得した場合、前記時計部で計時された日時を前記対に関連付けて記憶する日時記憶手段とを備え、前記アクセス手段は、前記対に関連付けて前記日時記憶手段により記憶した日時と共にアクセスするよう構成してあることを特徴とする。
【００２６】
本発明にあっては、名刺交換後に相手の名刺を端末装置が最初に読み取った場合、名刺交換した日時が取得される。端末装置は、当該日時と共に認証装置へアクセスする。
【００２７】
本発明に係る端末装置は、名刺に記録された日時を読み取って取得する日時取得手段を備え、前記アクセス手段は、前記日時取得手段が取得した日時と共にアクセスするよう構成してあることを特徴とする。
【００２８】
本発明にあっては、名刺交換後に相手の名刺に記録してある日時情報を端末装置が読み取って名刺交換した日時が取得される。端末装置は、当該日時と共に認証装置へアクセスする。
【００２９】
本発明に係る端末装置は、位置を取得する位置取得部と、前記対取得手段により前記対を取得した場合、前記位置取得部で取得された位置を前記対に関連付けて記憶する位置記憶手段とを備え、前記アクセス手段は、前記対に関連付けて前記位置記憶手段により記憶した位置と共にアクセスするよう構成してあることを特徴とする。
【００３０】
本発明にあっては、名刺交換後に相手の名刺を端末装置が最初に読み取った場合、端末装置が備える位置取得部、例えばＧＰＳ（ Global Positioning System ）機能等を用いて名刺交換した場所を示す位置が取得される。端末装置は、当該位置と共に認証装置へアクセスする。
【００３１】
本発明に係る名刺入れは、前述の端末装置が読み取る名刺に日時を記録する名刺入れであって、前記名刺を１つ又は複数収納する収納部と、時計部と、前記名刺に前記時計部で計時された日時を記録する記録手段と、前記名刺が前記収納部から所定範囲内に位置する場合、前記名刺に記録してある日時を前記時計部で計時された日時を用いて書換える書換手段とを備えることを特徴とする。
【００３２】
本発明にあっては、名刺入れに名刺が収納されている場合、名刺が備えるＩＣタグ等に時計部で計時された日時が記録されると共に、所定時間間隔で記録されている日時が書き換えられて更新される。名刺交換すべく名刺入れから名刺が取り出されて名刺が収納部から所定距離以上を離れた場合、名刺に記録されている日時の更新が停止される。これにより、相手ユーザには、名刺交換した日時が記録された名刺が相手に渡される。
【００３３】
本発明に係るコンピュータプログラムは、複数のユーザ夫々が名刺交換した相手ユーザからのアクセスを受付ける認証装置が備えるコンピュータに前記アクセスを認証させるコンピュータプログラムにおいて、前記コンピュータに、前記複数のユーザ夫々が相手ユーザに与えた自己名刺及び相手ユーザから受け取った相手名刺夫々に基づいて取得した自己名刺情報及び相手名刺情報の対を記憶する対記憶ステップと、前記アクセスが前記対記憶ステップにより記憶した対を含むか否かを判定する対判定ステップと、該対判定ステップにより前記アクセスが前記対を含むと判定した場合、前記アクセスが正当である旨の結果を出力する出力ステップとを実行させることを特徴とする。
【００３４】
本発明にあっては、自己の名刺及び相手ユーザから受け取った名刺夫々に基づいて取得した名刺情報の対が、受付けたアクセスに含まれている場合、当該アクセスは、名刺交換した相手ユーザから受付けた正当なものである旨の結果が出力される。
【００３５】
本発明に係る認証システムは、複数のユーザにより操作される認証装置及び前記複数のユーザ夫々が名刺交換した相手ユーザにより操作される端末装置からなり、該端末装置からのアクセスを前記認証装置が受付けて認証する認証システムにおいて、前記認証装置は、前記複数のユーザ夫々が相手ユーザに与えた自己名刺及び相手ユーザから受け取った相手名刺夫々に基づいて取得した自己名刺情報及び相手名刺情報の対を記憶する対記憶手段と、前記アクセスが前記対記憶手段により記憶した対を含むか否かを判定する対判定手段と、該対判定手段により前記アクセスが前記対を含むと判定した場合、前記アクセスが正当である旨の結果を出力する出力手段とを備え、前記端末装置は、前記自己名刺及び前記相手名刺夫々に基づいて前記対を取得する対取得手段と、該対取得手段が取得した対と共に前記認証装置にアクセスするアクセス手段とを備えることを特徴とする。
【００３６】
本発明にあっては、端末装置が名刺交換された名刺夫々に基づいて取得した名刺情報の対と共に端末装置から認証装置へアクセスされる。アクセスを受け取った認証装置は、予め登録されている名刺情報の対がアクセスに含まれている場合、当該アクセスは、名刺交換した相手ユーザから受付けた正当なものである旨の結果を出力する。
【発明の効果】
【００３７】
本発明にあっては、自己の名刺及び相手ユーザから受け取った名刺夫々に基づく自己名刺情報及び相手名刺情報の対が受付けたアクセスに含まれているか否かを判定し、含まれている場合に正当なアクセスである旨の結果を出力する出力手段を備えることにより、名刺交換した相手からのアクセスを認証して管理サーバ装置が管理している個人情報を通知可能にする。
【図面の簡単な説明】
【００３８】
【図１】実施の形態１に係る認証システムの構成例を示す模式図である。
【図２】実施の形態１に係る第１認証サーバ装置の内部構成例を示すブロック図である。
【図３】実施の形態１に係る第１管理サーバ装置の内部構成例を示すブロック図である。
【図４】実施の形態１に係る第２認証サーバ装置の内部構成例を示すブロック図である。
【図５】実施の形態１に係る第２管理サーバ装置の内部構成例を示すブロック図である。
【図６】実施の形態１に係るＰＤＡの内部構成例を示すブロック図である。
【図７】実施の形態１に係る社員管理表及びアクセスレベル表のレコードレイアウト例を示す図表である。
【図８】実施の形態１に係る名刺データのレコードレイアウト例を示す図表である。
【図９】実施の形態１に係る履歴データのレコードレイアウト例を示す図表である。
【図１０】実施の形態１に係るスケジュール表のレコードレイアウト例を示す図表である。
【図１１】実施の形態１に係るログイン画面及びエラー画面の例を示す模式図である。
【図１２】実施の形態１に係る読込画面及びエラー画面の例を示す模式図である。
【図１３】実施の形態１に係る情報表示画面の例を示す模式図である。
【図１４】実施の形態１に係る情報表示画面の例を示す模式図である。
【図１５】実施の形態１に係る読込画面及び情報表示画面の例を示す模式図である。
【図１６】実施の形態１に係るエラー画面及び情報表示画面の例を示す模式図である。
【図１７】実施の形態１に係るアクセスレベル設定画面の例を示す模式図である。
【図１８】実施の形態１に係る情報確認処理の手順を示すフローチャートである。
【図１９】実施の形態１に係る情報確認処理の手順を示すフローチャートである。
【図２０】実施の形態１に係る情報確認処理の手順を示すフローチャートである。
【図２１】実施の形態１に係る情報確認処理の手順を示すフローチャートである。
【図２２】実施の形態１に係る情報問合せ処理の手順を示すフローチャートである。
【図２３】実施の形態１に係る情報問合せ処理の手順を示すフローチャートである。
【図２４】実施の形態１に係る認証処理の手順を示すフローチャートである。
【図２５】実施の形態１に係る送信要求処理の手順を示すフローチャートである。
【図２６】実施の形態２に係る認証システムの構成例を示す模式図である。
【図２７】実施の形態２に係る認証サーバ装置の内部構成例を示すブロック図である。
【図２８】実施の形態３に係る名刺入れ及び名刺を示す模式的斜視図である。
【図２９】実施の形態３に係る通信部及び非接触型ＩＣタグの内部構成例を示すブロック図である。
【図３０】実施の形態４に係る第１認証サーバ装置の内部構成例を示すブロック図である。
【発明を実施するための形態】
【００３９】
実施の形態１
以下、本発明をその実施の形態を示す図面を参照して具体的に説明する。図１は、実施の形態１に係る認証システムの構成例を示す模式図である。認証装置は、名刺交換する社員が所属する会社に設置されている。認証装置は、社員が名刺を渡した他社の社員から個人情報の問合せ等に関するアクセスを受付けて認証するようにしてあり、一つの会社に設置される場合に限るものではなく各会社に設置して互いに受付けたアクセスを認証してもよい。本実施の形態１は、会社Ａに認証装置が設置されており、会社Ｂの社員により操作される端末装置からネットワーク網を介して個人情報の問合せに関するアクセスを受付けて認証し、認証の結果に応じて当該端末装置及び会社Ｂに設置された管理サーバ装置に会社Ａの社員の個人情報を送信する認証システムを例に挙げて説明する。また、端末装置は、携帯電話、ＰＤＡ（ Personal Digital Assistant ）及びＰＣ（ Personal Computer ）等であり、本実施の形態１は、会社Ｂの社員夫々により操作されるＰＤＡからなる端末装置を例に挙げて説明する。
【００４０】
図中１は、会社Ａに設置してある認証装置としての第１認証サーバ装置を示す。第１認証サーバ装置１は、会社Ａの各社員の個人情報及びスケジュールを管理するデータベースとしての第１管理サーバ装置２と、会社Ａの各社員による後述のアクセスレベルの設定操作を受付ける受付手段としてのＰＣ（ Personal Computer ）３，３，…とが接続してある。各ＰＣ３は、会社Ａの各社員に対するメールの送受信も行うようにしてある。第１認証サーバ装置１は、会社Ａの社員の名刺及び会社Ａの社員が名刺交換により受け取った相手の名刺夫々に記載の名刺情報を登録すると共に、第１管理サーバ装置２が管理しているスケジュールを参照して名刺交換を行った相手との面会履歴を記憶するようにしてある。
【００４１】
また、第１認証サーバ装置１は、インターネット等のネットワーク網Ｎを介して会社Ｂに設置してある第２認証サーバ装置４と接続してある。第２認証サーバ装置４は、会社Ｂの各社員の個人情報及びスケジュールを管理するデータベースとしての第２管理サーバ装置５と接続してある。また、第２認証サーバ装置４は、会社Ｂの各社員の名刺及び会社Ｂの各社員が名刺交換により受け取った相手の名刺夫々に記載の名刺情報を登録すると共に、第２管理サーバ装置５が管理しているスケジュールを参照して名刺交換を行った相手との面会履歴を記憶するようにしてある。ネットワーク網Ｎには、端末装置としてのＰＤＡ６，６，…が無線基地局Ｗを介して接続してある。
【００４２】
各ＰＤＡ６は、無線基地局Ｗとの間で無線通信を行い、無線基地局Ｗに接続してあるネットワーク網Ｎを介して第１認証サーバ装置１及び第２認証サーバ装置４との間で通信可能にしてある。各ＰＤＡ６は、会社Ｂの各社員に所持されており、ユーザである各社員による操作を受付けるようにしてある。各ＰＤＡ６は、名刺交換したユーザの名刺及び相手の名刺を読み取って名刺情報の対を取得し、取得した時点の日時及び場所と共に第２認証サーバ装置４に送信して登録するようにしてある。認証装置としての第１認証サーバ装置１は、各ＰＤＡ６から受付けたアクセスを認証して名刺交換した正当な相手からのものであると判定した場合、各ＰＤＡ６からの問合せに応じて第１管理サーバ装置２が管理している個人情報を問合せ元のＰＤＡ６へ送信するようにしてある。
【００４３】
第２認証サーバ装置４は、各ＰＤＡ６からの面会履歴の問合せを受付けて、面会履歴を送信するようにしてある。第１管理サーバ装置２及び第２管理サーバ装置５は、第１認証サーバ装置１、ネットワーク網Ｎ及び第２認証サーバ装置４を介して個人情報を互いに通信可能にしてあり、相手先から個人情報を受信した場合、当該個人情報を記憶するようにしてある。各ＰＤＡ６は、第２認証サーバ装置４から取得した面会履歴と、第１認証サーバ装置１にアクセスして取得した会社Ａの社員の個人情報とを表示するようにしてある。
【００４４】
図２は、実施の形態１に係る第１認証サーバ装置１の内部構成例を示すブロック図である。第１認証サーバ装置１は、ネットワーク網Ｎに接続して通信するためのネットワーク通信部１３と、対記憶手段及び処理記憶手段としてのハードディスクからなる記憶部１４と、対判定手段、出力手段、日時判定手段、位置判定手段及び許可手段としてのＣＰＵ（ Central Processing Unit ）１０と、ＣＰＵ１０で実行されるプログラムを記憶してあるＲＯＭ（ Read Only Memory ）１１と、ＲＯＭ１１から読み出したプログラムを記憶するためのＲＡＭ（ Random-Access Memory ）１２とを備える。また、ＣＰＵ１０は、第１管理サーバ装置２から送られてきたスケジュールをネットワーク通信部１３により受信することでネットワーク通信部１３と共にスケジュール取得手段としても機能するようにしてある。さらに、ＣＰＵ１０は、バス１０ａを介して接続されたハードウェア各部を制御するようにしてある。
【００４５】
ネットワーク通信部１３は、会社Ａの各社員が名刺交換した際に相手に渡した自己名刺の名刺情報（自己名刺情報）と、相手から受け取った相手名刺の名刺情報（相手名刺情報）とからなる対を各社員が操作するＰＣ３夫々から受信するようにしてあり、対記憶手段としての記憶部１４は、ネットワーク通信部１３が受信した対を会社Ａの各社員に対応付けて名刺データ１４３，１４３，…に記憶するようにしてある。また、記憶部１４は、会社Ａの各社員の社員名及びパスワードからなる社員管理表１４１と、会社Ａの各社員に対応したアクセスレベル表１４２，１４２，…と、各社員に対応しており名刺交換した相手との面会履歴を示す履歴データ１４４，１４４，…とを記憶するようにしてある。
【００４６】
各アクセスレベル表１４２は、会社Ａの各社員が各ＰＣ３を操作して名刺交換した相手夫々に対し、アクセスレベルを設定することにより、記憶部１４に記憶されるようにしてある。各履歴データ１４４は、第１管理サーバ装置２により管理されている会社Ａの各社員のスケジュールが要求されて取得されることにより、記憶するようにしてある。また、第１認証サーバ装置１は、第１管理サーバ装置２からスケジュールの更新情報を受信した場合、当該更新情報を用いて対応する履歴データ１４４を更新するようにしてある。
【００４７】
図３は、実施の形態１に係る第１管理サーバ装置２の内部構成例を示すブロック図である。データベースとしての第１管理サーバ装置２は、個人情報及びスケジュールを記憶する記憶部２４と、各種処理を行うＣＰＵ２０と、ＣＰＵ２０で実行されるプログラムを記憶してあるＲＯＭ２１とを備え、ＲＡＭ１２は、ＲＯＭ２１から読み出したプログラムを記憶するようにしてある。また、ＣＰＵ２０は、バス２０ａを介して接続してあるハードウェア各部を制御するようにしてある。記憶部２４は、会社Ａの社員の人事情報及び各社員が登録したメッセージ等の個人情報からなる自社社員データ２４１と、会社Ｂに設置してある第２管理サーバ装置５から送られてきた会社Ｂの個人情報からなる他社社員データ２４２と、会社Ａの各社員のスケジュールからなるスケジュール表２４３，２４３，…とを記憶するようにしてある。
【００４８】
第１管理サーバ装置２は、第１認証サーバ装置１からスケジュールの要求を受付けた場合、各スケジュール表２４３を第１認証サーバ装置１に送信するようにしてある。また、第１管理サーバ装置２は、各スケジュール表２４３が更新された場合、第１認証サーバ装置１に更新情報を送信するようにしてある。
【００４９】
図４は、実施の形態１に係る第２認証サーバ装置４の内部構成例を示すブロック図である。第２認証サーバ装置４は、対記憶手段、日時記憶手段及び位置記憶手段としてのハードディスクからなる記憶部４４と、各種処理を行うＣＰＵ４０と、ＣＰＵ４０で実行されるプログラムを記憶してあるＲＯＭ４１とを備え、ＲＡＭ１２は、ＲＯＭ４１から読み出したプログラムを記憶するようにしてある。また、ＣＰＵ４０は、バス４０ａを介して接続してあるハードウェア各部を制御するようにしてある。ネットワーク通信部１３は、会社Ｂの各社員が名刺交換した相手から受け取った名刺の名刺情報を各社員が操作するＰＤＡ６から受信するようにしてあり、記憶部４４は、ネットワーク通信部１３が受信した名刺情報を会社Ｂの各社員に対応付けて名刺データ４４３，４４３，…に記憶するようにしてある。
【００５０】
また、記憶部４４は、会社Ａの各社員の社員名及びパスワードからなる社員管理表４４１と、各社員に対応しており名刺交換した相手との面会履歴を示す履歴データ４４４，４４４，…とを記憶するようにしてある。各履歴データ４４４は、第２管理サーバ装置５により管理されている会社Ａの各社員のスケジュールが要求されて取得されることにより、記憶するようにしてある。また、第２認証サーバ装置４は、第２管理サーバ装置５からスケジュールの更新情報を受信した場合、当該更新情報を用いて対応する履歴データ４４４を更新するようにしてある。
【００５１】
図５は、実施の形態１に係る第２管理サーバ装置５の内部構成例を示すブロック図である。第２管理サーバ装置５は、社員情報及びスケジュールを記憶する記憶部５４と、各種処理を行うＣＰＵ５０と、ＣＰＵ５０で実行されるプログラムを記憶してあるＲＯＭ５１とを備え、ＲＡＭ１２は、ＲＯＭ５１から読み出したプログラムを記憶するようにしてある。また、ＣＰＵ５０は、バス５０ａを介して接続してあるハードウェア各部を制御するようにしてある。記憶部５４は、会社Ｂの社員の人事情報及び各社員が登録したメッセージ等の個人情報からなる自社社員データ５４１と、会社Ａに設置してある第１管理サーバ装置２から送られてきた会社Ａの社員情報からなる他社社員データ５４２と、会社Ｂの各社員のスケジュールを示すスケジュール表５４３，５４３，…とを記憶するようにしてある。
【００５２】
第２管理サーバ装置５は、第２認証サーバ装置４からスケジュールの要求を受付けた場合、各スケジュール表５４３を第２認証サーバ装置４に送信するようにしてある。また、第２管理サーバ装置５は、各スケジュール表５４３が更新された場合、第２認証サーバ装置４に更新情報を送信するようにしてある。
【００５３】
図６は、実施の形態１に係るＰＤＡ６の内部構成例を示すブロック図である。ＰＤＡ６は、名刺情報、面会履歴及び操作画面等を表示するための液晶パネルからなる表示部６４と、表示部６４に表示した操作画面に応じて操作を受付けるタッチパネル部６３と、名刺を撮像するためのＣＭＯＳ（ Complementary Metal Oxide Semiconductor ）イメージセンサ及びＣＣＤ（ Charge Coupled Device ）イメージセンサ等からなる撮像部６５と、時計部６６と、ＧＰＳ衛星通信波を受信して自己の位置を取得する位置取得部（位置取得手段）６２とを備える。
【００５４】
また、ＰＤＡ６は、バス６０ａを介して接続されたハードウェア各部を制御するＣＰＵ６０と、ＣＰＵ６０で実行されるプログラムを記憶してあるＲＯＭ６１とを備え、ＲＡＭ１２は、ＲＯＭ６１から読み出したプログラムを記憶するようにしてある。ＣＰＵ６０は、撮像部６５が撮像した名刺の画像に文字認識を施すことにより、名刺に記載の氏名、所属会社及び肩書き等の文字情報からなる名刺情報を取得するようにしてある。これにより、ＣＰＵ６０及び撮像部６５は、名刺交換された名刺夫々の名刺情報の対を取得する対取得手段として機能する。ＣＰＵ６０は、取得した名刺情報、日時及び位置をＲＡＭ１２に１次的に記憶するようにしてある。ＣＰＵ６０は、ＲＡＭ１２に記憶した日時及び位置を、名刺情報の対と共にネットワーク通信部１３により第２認証サーバ装置４へ送信して記憶部４４に記憶させるようにしてある。また、ＣＰＵ６０は、ネットワーク通信部１３により第１認証サーバ装置にアクセスすることにより、ネットワーク通信部１３と共にアクセス手段として機能する。
【００５５】
図７は、実施の形態１に係る社員管理表１４１，４４１及びアクセスレベル表１４２のレコードレイアウト例を示す図表である。図中（ａ），（ｂ）及び（ｃ）夫々は、第１認証サーバ装置１の記憶部１４に記憶してある社員管理表１４１、第２認証サーバ装置４の記憶部４４に記憶してある社員管理表４４１及び第１認証サーバ装置１の記憶部１４に記憶してあるアクセスレベル表１４２を示す。社員管理表１４１には、会社Ａの各社員の社員番号に関連付けて氏名及びパスワードが記憶してある。図中（ａ）に示す例では、会社Ａの社員の社員番号「０００１」に関連付けて氏名「田中太郎」及びパスワード「ａｂｃｄｅ」が記憶されている。
【００５６】
社員管理表４４１には、会社Ｂの各社員の社員番号に関連付けて氏名及びパスワードが記憶してある。図中（ｂ）に示す例では、会社Ｂの社員の社員番号「０００１」に関連付けて氏名「鈴木太郎」及びパスワード「ａｂｃ１２」が記憶されている。アクセスレベル表１４２は、会社Ａの各社員が名刺交換により名刺を受取った相手夫々に対して設定したアクセスレベルからなり、アクセスレベルは、１から３までのいずれかの数字からなる。図中（ｃ）に示す例では、会社Ａの社員である田中太郎が名刺交換した相手夫々に対して設定したアクセスレベルからなるアクセスレベル表１４２の例であり、相手の氏名「鈴木太郎」及び「石田太郎」夫々に設定したアクセスレベルとして３及び２が記憶されている。
【００５７】
図８は、実施の形態１に係る名刺データ１４３，４４３のレコードレイアウト例を示す図表である。図中（ａ）及び（ｂ）夫々は、第１認証サーバ装置１の記憶部１４に記憶してある名刺データ１４３及び第２認証サーバ装置４の記憶部４４に記憶してある名刺データ４４３を示す。各名刺データ１４３は、社員管理表１４１に含まれる社員番号に対応して記憶部１４に記憶してある。各名刺データ１４３は、会社Ａの各社員の名刺情報（自己名刺情報）及び各社員が名刺交換した相手の名刺情報（相手名刺情報）からなる。名刺情報は、名刺に印刷してある文字情報であり、氏名、所属会社、所属部署、住所、電話番号、Ｅ−ｍａｉｌアドレス及び肩書き等からなる。
【００５８】
図中（ａ）は、会社Ａの社員である田中太郎の社員番号に対応して記憶部１４に記憶されている名刺データ１４３の例である。図中（ａ）に示す例では、名刺交換に用いた名刺夫々に対応した「自己１」及び「自己２」と示された名刺情報（自己名刺情報）が記憶されており、「自己１」の名刺情報として、氏名「田中太郎」、所属会社「Ａ建設」、所属部署「企画部」、住所「東京都港区ＸＸ」、電話番号「０３−１２３−ＹＹＹＹ」、Ｅ−ｍａｉｌアドレス「ＸＸＸ＠Ｘ．ｃｏｍ」及び肩書き「トレーニー」が記憶されている。名刺データ１４３に含まれる自己名刺情報の数は、過去に名刺交換した自己名刺の種類の数に対応する。また、図中（ａ）に示す例では、名刺交換した２人の相手夫々に対応した「相手１」及び「相手２」の２つの相手名刺情報が記憶されている。
【００５９】
相手名刺情報夫々には、名刺交換の際に相手先に渡した名刺の名刺情報（自己名刺情報）が指定されている。図中（ａ）に示す例では、「相手１」の名刺情報には、「自己１」が指定されており、「相手１」の名刺情報は、名刺交換時に「自己１」の名刺情報が記載された名刺を渡すことにより、相手から受け取った名刺の名刺情報であることを示している。すなわち、「自己１」及び「相手１」の名刺情報は、名刺交換された名刺夫々の名刺情報の対となる。図中（ｂ）は、会社Ｂの社員である鈴木太郎に対応して記憶部４４に記憶されている名刺データ４４３の例であり、鈴木太郎が名刺交換した相手の会社Ａの社員である田中太郎及び他の会社の社員である山田太郎の名刺情報が記憶されている。
【００６０】
図９は、実施の形態１に係る履歴データ１４４，４４４のレコードレイアウト例を示す図表である。図中（ａ）及び（ｂ）夫々は、第１認証サーバ装置１の記憶部１４に記憶してある履歴データ１４４及び第２認証サーバ装置４の記憶部４４に記憶してある履歴データ４４４を示す。各履歴データ１４４及び各履歴データ４４４夫々は、社員管理表１４１及び社員管理表４４１夫々に含まれる社員番号に対応して記憶部１４及び記憶部４４に記憶してある。各履歴データ１４４は、会社Ａの各社員が名刺交換した相手の氏名、交換日時及び交換場所と、当該相手と面会した面会日時及び面会場所との一覧からなる。
【００６１】
図中（ａ）は、会社Ａの社員である田中太郎の社員番号に対応して記憶部１４に記憶されている履歴データ１４４の例である。図中（ａ）に示す例では、名刺交換した相手夫々に対応した「相手１」及び「相手２」と示された面会履歴が記憶されており、「相手１」の面会履歴として、氏名「鈴木太郎」、名刺交換した日時「２００８/１１/１２  １４：０３」、交換場所の経度緯度からなる位置「（Ｘ１，Ｙ１）」と、１回目に面会した日時「２００８/１１/１２  １４：００」と、当該面会場所の位置「（Ｘ１，Ｙ１）」と、２回目に面会した日時「２００８/１２/０２  １４：００」と、当該面会場所の位置「（Ｘ２，Ｙ２）」とが記憶されている。図中（ａ）に示す例では、第１回目に面会した際に名刺交換がなされており、交換日時及び交換場所は、「面会日時１」及び「面会場所１」に対応して記憶してある１回目の面会日時及び面会場所と略同一となっている。
【００６２】
図中（ｂ）は、会社Ｂの社員である鈴木太郎の社員番号に対応して記憶部４４に記憶してある履歴データ４４４の例である。図中（ｂ）に示す例では、名刺交換した相手夫々に対応した「相手１」及び「相手２」と示された面会履歴が記憶されており、「相手１」の面会履歴として、氏名「田中太郎」、名刺交換した日時「２００８/１１/１２  １４：０６」、交換場所の経度緯度からなる位置情報「（Ｘ４，Ｙ４）」、１回目に面会した日時「２００８/１１/１２  １４：００」、当該面会場所の位置情報「（Ｘ４，Ｙ４）」、２回目に面会した日時「２００８/１２/０２  １４：００」、及び当該面会場所の位置情報「（Ｘ５，Ｙ５）」が記憶されている。また、図中（ａ）及び（ｂ）夫々の「相手１」と示された面会履歴は、名刺交換及び面会した会社Ａ及び会社Ｂ夫々の社員である鈴木太郎及び田中太郎に対応する。この場合、交換場所（Ｘ４，Ｙ４）は、交換場所（Ｘ１，Ｙ１）から、所定距離内にあり、略同一の交換場所となっている。
【００６３】
図１０は、実施の形態１に係るスケジュール表２４３のレコードレイアウト例を示す図表である。各スケジュール表２４３は、社員管理表１４１に含まれる社員番号に対応して記憶部１４に記憶してある。各スケジュール表２４３は、会社Ａの各社員の面会予定を記憶している。図１０に示す例は、会社Ａの社員である田中太郎に関するスケジュール表２４３に対応している。スケジュール表２４３には、面会する相手夫々に対応した「相手１」及び「相手２」と示された面会予定が記憶されている。各面会予定は、面会の予定日時及び予定場所と、面会フラグとからなる。面会フラグは、予定に従って面会が行われた場合、１が設定されるようにしてある。また、面会フラグは、予定日時よりも前、又は面会がキャンセルされた場合等、面会が行われていない場合、０が設定されるようにしてある。図１０に示す例では、「相手１」の面会予定として、氏名「鈴木太郎」、１回目の予定日時「２００８/１１/１２  １４：００〜１５：００」と、１回目の予定場所の座標「（Ｘ７，Ｙ７）」と、１回目の面会が行われたことを示す面会フラグ「１」と、２回目の予定日時「２００８/１２/０２  １４：００〜１５：００」と、２回目の予定場所の座標「Ｘ８，Ｙ８」と、２回目の面会が行われたことを示す面会フラグ「１」とが記憶されている。スケジュール表２４３に含まれる面会予定のうち、面会フラグに１が設定されている面会予定に基づいて第１認証サーバ装置１の記憶部１４に記憶してある履歴データ１４４が、書き換えられる。次に第１認証サーバ装置１及び第２認証サーバ装置４に名刺交換した名刺情報を登録する場合の処理について説明する。
【００６４】
会社Ａの社員は、相手と面会し、名刺交換をして名刺を受取った場合、受け取った名刺（相手名刺）に記載されている文字情報からなる名刺情報（相手名刺情報）と、名刺交換した日時及び場所とを各ＰＣ３から第１認証サーバ装置１に送信して当該社員が相手に渡した名刺（自己名刺）の名刺情報（自己名刺情報）と対応付けて登録する。会社Ｂの社員は、相手と面会し、名刺交換をして名刺を受取った場合、ＰＤＡ６を用いて受け取った名刺を撮像して名刺情報を取得する。ＰＤＡ６は、時計部６６が計時している日時及び位置取得部６２が取得している位置夫々を名刺交換した日時及び場所として取得し、受け取った会社Ａの社員の名刺の名刺情報と共に第２認証サーバ装置４に送信して登録する。次に会社Ｂの社員がＰＤＡ６を操作して会社Ａの社員との面会履歴を第２認証サーバ装置４に問合せる場合の処理について説明する。
【００６５】
図１１は、実施の形態１に係るログイン画面及びエラー画面の例を示す模式図である。ＰＤＡ６は、ログイン画面を表示して第２認証サーバ装置４が提供するサービスである相手先情報確認サービスへのログインを受付ける。図中（ａ）は、ログイン画面の例であり、ログインするサービス名「相手先情報確認サービス」と、ログイン情報としての社員番号及びパスワード夫々を入力するための入力欄と、ログイン情報の送信を受付けるための「ログイン」と表示されたソフトウェアボタンと、相手先情報確認サービスへのログインの中止を受付けるための「キャンセル」と表示されたソフトウェアボタンとを備えている。
【００６６】
ＰＤＡ６から会社Ｂに設置されている第２認証サーバ装置４にログイン情報が送信され、第２認証サーバ装置４は、ログイン情報に含まれる社員番号及びパスワードが社員管理表４４１に登録されている場合、当該ログインを許可する。ＰＤＡ６は、ログインが許可されなかった場合、エラー画面を表示する。図中（ｂ）は、エラー画面の例であり、ログインが許可されなかった旨を報知すると共にログイン情報の再入力を促すメッセージ「ログインできません。社員番号とパスワードとを再入力してください。」が表示されている。また、エラー画面には、相手先情報確認サービスからログアウトするための「終了」と表示されたソフトウェアボタンと、ログイン画面に戻るための「戻る」と表示されたソフトウェアボタンとを備えている。
【００６７】
図１２は、実施の形態１に係る読込画面及びエラー画面の例を示す模式図である。ＰＤＡ６は、ログインが許可された場合、読込画面を表示して名刺の読込を待機する。図中（ａ）に示す読込画面の例では、最新の情報を確認する相手の名刺の読込を促すメッセージ「ようこそ！情報を見たい相手の名刺を読み込ませてください。」が表示されている。また、読込画面には、相手先情報確認サービスからログアウトするための「終了」と表示されたソフトウェアボタンと、ログイン画面に戻るための「戻る」と表示されたソフトウェアボタンとを備えている。ＰＤＡ６は、読込画面に応じて社員が相手から受け取った名刺を撮像した場合、撮像して得た画像から名刺情報を取得し、会社Ｂに設置されている第２認証サーバ装置４に送信する。
【００６８】
名刺情報を受信した第２認証サーバ装置４は、ログインしている社員の社員番号に対応する名刺データ１４３から、当該名刺情報を検索する。検索の結果、名刺情報が名刺データ１４３に記憶されていない場合、ＰＤＡ６に名刺情報が登録されていない旨を報知するエラーを送信する。ＰＤＡ６は、エラーを受信した場合、図中（ｂ）に示す如く相手の名刺が登録されていない旨を報知するメッセージ「情報を見たい相手の名刺が登録されていません。」と共にエラー画面を表示する。
【００６９】
エラー画面には、相手先情報確認サービスからログアウトするための「終了」と表示されたソフトウェアボタンと、読込画面に戻るための「戻る」と表示されたソフトウェアボタンとを備えている。検索の結果、当該相手の名刺情報が名刺データ１４３に記憶されている場合、履歴データ１４４から読み出した当該相手の面会履歴が読み出されてＰＤＡ６へ送信される。また、第２管理サーバ装置５の他社社員データ５４２に当該相手の個人情報が記憶されている場合、当該個人情報についても読み出されてＰＤＡ６へ送信される。
【００７０】
図１３は、実施の形態１に係る情報表示画面の例を示す模式図である。ＰＤＡ６は、送られてきた面会履歴及び個人情報を情報表示画面に表示する。図中（ａ）に示す情報表示画面の例では、名刺交換した会社Ａの社員である田中太郎の名刺情報又は個人情報として氏名「田中太郎」、所属会社「株式会社Ａ建設」、所属部署「企画部」、肩書き「トレーニー」、住所「東京都品川区ＸＸ」、ＴＥＬ「０３−１２３−ＹＹＹＹ」、Ｅメール「ＸＸＸ＠Ｘ．ＣＯＭ」と、趣味「読書」及びコメント「宜しくお願いします」が表示されている。
【００７１】
また、情報表示画面は、スクロール表示するためのスクロールバーと、相手先情報確認サービスからログアウトするための「終了」と表示されたソフトウェアボタンと、読込画面に戻るための「戻る」と表示されたソフトウェアボタンとを備える。図中（ｂ）は、図中（ａ）に示した情報表示画面をスクロールさせた場合を示しており、交換日時及び交換場所と、面会日時及び面会場所とからなる面会履歴が表示されている。情報表示画面には、「地図」と表示されたソフトウェアボタンが交換場所及び面会場所夫々に表示されており、当該ボタンが選択された場合、当該場所を示す地図が表示される。地図の表示は、例えばネットワーク網Ｎに接続された図示しないサーバ装置により提供される地図検索サービス等を利用して地図画像を取得し、表示するとよい。
【００７２】
図１４は、実施の形態１に係る情報表示画面の例を示す模式図である。ＰＤＡ６は、送られてきた個人情報に名刺情報から更新された情報が含まれている場合、その旨を報知するメッセージを情報が更新された日時と共に、情報表示画面に表示する。図中（ａ）に示す例では、メッセージ「更新済」が更新日時「２００８/１２/０５」と共に表示されている。図中（ｂ）は、送られてきた個人情報及び履歴情報に更新された情報が含まれている状態で図中（ａ）に示す情報表示画面をスクロールさせた場合を示している。
【００７３】
図中（ｂ）に示す例では、更新された情報であることを示すメッセージ「この社員は、異動致しました。」と、異動日「２００８/１２/０１」と、更新された肩書「アシスタント」とを含んで表示されている。ＰＤＡ６は、名刺交換した日時から所定期間が経過している場合、相手の最新情報を問合せるためのソフトウェアボタンを情報表示画面に表示する。所定期間として、例えば１年間とするとよい。図中（ｂ）に示す例では、「最新情報問い合せ」と表示されたソフトウェアボタンが情報表示画面に表示されている。次に、「最新情報問い合せ」と表示されたソフトウェアボタンが選択されて、ＰＤＡ６から第１認証サーバ装置１へ最新情報を問合せるべくアクセスする場合の処理を説明する。
【００７４】
図１５は、実施の形態１に係る読込画面及び情報表示画面の例を示す模式図である。ＰＤＡ６は、最新情報を問合せる操作を受付けた場合、会社Ａに設置してある第１認証サーバ装置１にアクセスし、送信したアクセスに応じて第１認証サーバ装置１から受け取ったメッセージと共に読込画面を表示する。図中（ａ）は、受け取ったメッセージと共に表示する読込画面の例である。図中（ａ）に示す例では、会社Ａに設置してある第１認証サーバ装置１が提供するサービスであることを示すタイトル「株式会社Ａ建設  社員情報確認サービス」と、受け取ったメッセージ「お世話になっております。…」とが表示されている。
【００７５】
また、メッセージは、ＰＤＡ６を操作している会社Ｂの社員の名刺を読み込ませるよう促す旨を報知する。ＰＤＡ６は、読込画面に応じてＰＤＡ６を操作している会社Ｂの社員が相手から受け取った名刺を撮像した場合、撮像して得た画像から要求元名刺情報（相手先名刺情報）を取得する。ＰＤＡ６は、相手先名刺情報としての要求元名刺情報と、最新の情報を問合せる会社Ａの社員の名刺情報であり、既に取得してある自己名刺情報としての要求先名刺情報とからなる名刺情報の対を生成し、当該名刺情報の対と共に第１認証サーバ装置１にアクセスする。
【００７６】
会社Ａに設置してある第１認証サーバ装置１は、ＰＤＡ６から受付けたアクセスを認証すべく当該アクセスに含まれる名刺情報の対を名刺データ１４３から検索する。第１認証サーバ装置１は、名刺情報の対が名刺データ１４３に含まれている場合、更に当該アクセスに含まれる交換日時及び交換場所夫々が、履歴データ１４４に登録されている登録交換日時及び登録交換場所から所定期間内前後及び所定距離内であるか否かを判定する。第１認証サーバ装置１は、登録交換日時及び登録交換場所から所定期間内前後及び所定距離内であるかと判定した場合、当該アクセスを名刺交換した相手から送信された正当なものであると認証する。所定期間として、例えば数時間又は１日とするとよい。また、所定距離として、例えば１〜１０ｍとするとよい。
【００７７】
第１認証サーバ装置１は、ＰＤＡ６から送られてきた要求元名刺情報が示す相手に対してアクセスレベル表１４２に設定してあるアクセスレベルが２又は３である場合、第１管理サーバ装置２が管理しており、要求された個人情報をアクセスレベルと共にアクセス元のＰＤＡ６に送信する。ＰＤＡ６は、送られてきた個人情報を情報表示画面に表示する。図中（ｂ）は、送られてきた個人情報に更新された情報が含まれていることを示すメッセージ「この社員は、異動致しました。」と、送られてきた個人情報に含まれる異動日「２００９/０４/０５」と、更新された部署「法務部」及び電話番号「０３−１２３４−５６７８」とを含む個人情報が表示されている。
【００７８】
図１６は、実施の形態１に係るエラー画面及び情報表示画面の例を示す模式図である。第１認証サーバ装置１は、アクセスに含まれる名刺情報の対が名刺データ１４３に含まれていない場合、又は要求元名刺情報が示す相手に対して設定されているアクセスレベルが１である場合、個人情報のＰＤＡ６への送信を禁止し、その旨を報知するメッセージをＰＤＡ６に送信する。ＰＤＡ６は、受信したメッセージと共にエラー画面を表示する。図中（ａ）に示す例では、メッセージ「アクセス権限がありません」が表示されている。
【００７９】
また、ＰＤＡ６は、受信したアクセスレベルが３である場合、会社Ａに設置してある第１管理サーバ装置２から会社Ｂに設定してある第２管理サーバ装置５への個人情報の送信指示を受付けるための「送信」と表示されたソフトウェアボタンをメッセージ「御社に最新情報送信」と共に、図中（ｂ）に示す如く情報表示画面に表示する。次に、ＰＤＡ６が「送信」ソフトウェアボタンの選択操作を受付けた場合、第１管理サーバ装置２から第２管理サーバ装置５へ個人情報が送信され、第２管理サーバ装置５は、受信した個人情報を用いて他社社員データ２４２を更新する。
【００８０】
また、第１認証サーバ装置１は、アクセスが正当な相手によるものと認証した場合、要求先名刺情報が示す会社Ａの社員に対して、個人情報の問合せを認証した旨を通知すべく要求元名刺情報を含んだ通知メールを送信する。通知メールには、個人情報の問合せをした会社Ｂの社員が前回に問合せをした年月日及び当該社員の最新の個人情報を含むメッセージが表示される。メッセージとして、例えば「会社Ｂの鈴木太郎さんから２００８年１２月２５日以来のアクセスがありました。現在、部長に昇格されています。」とするとよい。また、第２管理サーバ装置５が第１管理サーバ装置２から会社Ａの社員の個人情報を受信した場合、受信した個人情報の社員と関係があり、予め登録されている会社Ｂの社員に対して受信した個人情報を含む通知メールが送信される。次に第１認証サーバ装置１が記憶部１４に記憶する各アクセスレベル表１４２に含まれるアクセスレベルを設定する処理を説明する。
【００８１】
図１７は、実施の形態１に係るアクセスレベル設定画面の例を示す模式図である。各ＰＣ３は、アクセスレベル設定画面を表示して、会社Ａの各社員からアクセスレベルの設定操作を受付ける。図１７に示す如くアクセスレベル設定画面は、各社員が名刺交換した相手の名刺情報と、名刺交換の日時及び場所と、面会履歴とが表示され、各相手に対応してアクセスレベル１，２及び３のいずれか一つを設定するためのソフトウェアボタンを備える。図１７に示す例では、会社Ａの社員である田中太郎が名刺交換した他社の社員である鈴木太郎及び石田太郎夫々に対してアクセスレベル３及び２が設定してある。ＰＣ３は、アクセス設定画面の終了ソフトウェアボタンが選択された場合、相手の氏名及び設定されたアクセスレベルを第１認証サーバ装置１に送信してアクセスレベル表１４２に記憶させる。
【００８２】
図１８、図１９、図２０及び図２１は、実施の形態１に係る情報確認処理の手順を示すフローチャートである。情報確認処理は、第２認証サーバ装置４からＰＤＡ６に対して面会履歴及び個人情報が送信される相手先情報確認サービスが提供される場合、ＰＤＡ６及び第２認証サーバ装置４で実行される。ＰＤＡ６のＣＰＵ６０は、ログイン画面を表示して（ステップＳ１１）、ログイン情報を受付ける（ステップＳ１２）。ＣＰＵ６０は、ログイン情報を第２認証サーバ装置４に送信する（ステップＳ１３）。第２認証サーバ装置４のＣＰＵ４０は、ＰＤＡ６から送られてきたログイン情報を受信して（ステップＳ１４）、ログイン情報をなす社員番号及びパスワードを認証する（ステップＳ１５）。ＣＰＵ４０は、認証結果をＰＤＡ６に送信する（ステップＳ１６）。
【００８３】
ＰＤＡ６のＣＰＵ６０は、第２認証サーバ装置４から送られてきた認証結果を受信して（ステップＳ１７）、ログイン情報が認証されたか否かを判定する（ステップＳ１８）。ＣＰＵ６０は、ログイン情報が認証されなかったと判定した場合（ステップＳ１８でＮＯ）、エラー画面を表示して（ステップＳ１９）、ログイン画面を表示するステップＳ１１に処理を戻す。ＣＰＵ６０は、ログイン情報が認証されたと判定した場合（ステップＳ１８でＹＥＳ）、読込画面を表示する（ステップＳ２０）。ＣＰＵ６０は、操作を受付けて（ステップＳ２１）、読込操作を受付けたか否かを判定する（ステップＳ２２）。
【００８４】
ＣＰＵ６０は、読込操作を受付けていないと判定した場合（ステップＳ２２でＮＯ）、操作を受付けるステップＳ２１に処理を戻す。ＣＰＵ６０は、読込操作を受付けたと判定した場合（ステップＳ２２でＹＥＳ）、情報を確認する相手の名刺を読み込んで要求先名刺情報を取得する（ステップＳ２３）。ＣＰＵ６０は、要求先名刺情報を第２認証サーバ装置４に送信する（ステップＳ２４）。第２認証サーバ装置４のＣＰＵ４０は、ＰＤＡ６から与えられた要求先名刺情報を受信し（ステップＳ２５）、要求先名刺情報が名刺データ１４３に含まれているか否かを判定する（ステップＳ２６）。ＣＰＵ４０は、要求先名刺情報が名刺データ１４３に含まれていないと判定した場合（ステップＳ２６でＮＯ）、エラーをＰＤＡ６に送信する（ステップＳ２７）。
【００８５】
ＰＤＡ６のＣＰＵ６０は、第２認証サーバ装置４から送られてきたエラーを受信して（ステップＳ２８）、情報を確認する相手の名刺が登録されていない旨を報知するエラー画面を表示し（ステップＳ２９）、操作を受付けるステップＳ２１に処理を戻す。第２認証サーバ装置４のＣＰＵ４０は、要求先名刺情報が名刺データ１４３に含まれているか否かを判定するステップＳ２６において、名刺データ１４３に含まれていると判定した場合（ステップＳ２６でＹＥＳ）、名刺データ１４３、履歴データ１４４及び第２管理サーバ装置５の他社社員データ２４２夫々から面会履歴及び個人情報を読み出して（ステップＳ３０）、当該情報をＰＤＡ６に送信する（ステップＳ３１）。
【００８６】
ＰＤＡ６のＣＰＵ６０は、第２認証サーバ装置４から送られてきた情報を受信して（ステップＳ３２）、情報表示画面に情報を表示する（ステップＳ３３）。ＣＰＵ６０は、操作を受付けて（ステップＳ３４）、問合せ操作を受付けたか否かを判定する（ステップＳ３５）。ＣＰＵ６０は、問合せ操作を受付けたと判定した場合（ステップＳ３５でＹＥＳ）、後述の情報問合せ処理を実行する（ステップＳ３６）。ＣＰＵ６０は、個人情報を報知する通知メールを会社Ｂの社員に送信する（ステップＳ３７）。ＣＰＵ６０は、操作を受付けて（ステップＳ３８）、終了操作を受付けたか否かを判定する（ステップＳ３９）。ＣＰＵ６０は、終了操作を受付けていないと判定した場合（ステップＳ３９でＮＯ）、操作を受付けるステップＳ２１に処理を戻す。
【００８７】
また、ＣＰＵ６０は、問合せ操作を受付けたか否かを判定するステップＳ３５において、問合せ操作を受付けていないと判定した場合（ステップＳ３５でＮＯ）、操作を受付けるステップＳ３８に処理を移す。ＣＰＵ６０は、終了操作を受付けたか否かを判定するステップＳ３９において、終了操作を受付けたと判定した場合（ステップＳ３９でＹＥＳ）、ログアウト要求を第２認証サーバ装置４に送信する（ステップＳ４０）。ＣＰＵ６０は、要求先名刺情報をＲＡＭ１２から削除して（ステップＳ４１）、情報確認処理を終了する。第２認証サーバ装置４のＣＰＵ４０は、送られてきたログアウト要求を受信する（ステップＳ４２）。ＣＰＵ４０は、ログオンしている社員番号をログアウトさせて（ステップ４３）、情報確認処理を終了する。
【００８８】
図２２及び図２３は、実施の形態１に係る情報問合せ処理の手順を示すフローチャートである。情報問合せ処理は、図２０のステップＳ３６で実行される。ＰＤＡ６のＣＰＵ６０は、情報問合せを第１認証サーバ装置１に送信する（ステップＳ６１）。第１認証サーバ装置１のＣＰＵ１０は、ＰＤＡ６から送られてきた情報問合せを受信して（ステップＳ６２）、メッセージを送信する（ステップＳ６３）。ＰＤＡ６のＣＰＵ６０は、第１認証サーバ装置１から送られてきたメッセージを受信して（ステップＳ６４）、読込画面を表示する（ステップＳ６５）。ＣＰＵ６０は、操作を受付けて（ステップＳ６６）、読込操作を受付けたか否かを判定する（ステップＳ６７）。
【００８９】
ＣＰＵ６０は、読込操作を受付けていないと判定した場合（ステップＳ６７でＮＯ）、操作を受付けるステップＳ６６に処理を戻す。ＣＰＵ６０は、読込操作を受付けたと判定した場合（ステップＳ６７でＹＥＳ）、ＰＤＡ６を操作して情報を要求している社員の名刺を読込んで要求元名刺情報を取得する（ステップＳ６８）。ＣＰＵ６０は、交換日時及び交換場所を受信してある履歴情報から読み出す（ステップＳ６９）。ＣＰＵ６０は、第１認証サーバ装置１にアクセスすべく、要求元名刺情報及び要求先名刺情報からなる名刺情報の対と、交換日時及び交換場所とを含む情報要求を第１認証サーバ装置１に送信する（ステップＳ７０）。第１認証サーバ装置１のＣＰＵ１０は、ＰＤＡ６から送られてきた情報要求（アクセス）を受信して（ステップＳ７１）、当該情報要求（アクセス）を認証する後述の認証処理を実行する（ステップＳ７２）。
【００９０】
ＣＰＵ１０は、認証処理により得られたアクセスレベルをＰＤＡ６に送信する（ステップＳ７３）。ＰＤＡ６のＣＰＵ６０は、第１認証サーバ装置１から送られてきたアクセスレベルを受信する（ステップＳ７４）。ＣＰＵ６０は、受信したアクセスレベルが１であるか否かを判定する（ステップＳ７５）。ＣＰＵ６０は、アクセスレベルが１であると判定した場合（ステップＳ７５でＹＥＳ）、エラー画面を表示する（ステップＳ７６）。ＣＰＵ６０は、要求元名刺情報をＲＡＭ１２から削除して（ステップＳ８３）、情報問合せ処理を終了する。第１認証サーバ装置１のＣＰＵ１０は、アクセスレベルが１であるか否かを判定する（ステップＳ７７）。
【００９１】
ＣＰＵ１０は、アクセスレベルが１であると判定した場合（ステップＳ７７でＹＥＳ）、情報問合せ処理を終了する。ＣＰＵ１０は、アクセスレベルが１でないと判定した場合（ステップＳ７７でＮＯ）、情報問合せに応じて個人情報をＰＤＡ６に送信する（ステップＳ７８）。ＰＤＡ６のＣＰＵ６０は、アクセスレベルが１であるか否かを判定するステップＳ７５において、アクセスレベルが１でないと判定した場合（ステップＳ７５でＮＯ）、第１認証サーバ装置１から送られてきた個人情報を受信する（ステップＳ７９）。ＣＰＵ６０は、情報表示画面により個人情報を表示する（ステップＳ８０）。
【００９２】
ＣＰＵ６０は、アクセスレベルが３であるか否かを判定する（ステップＳ８１）。ＣＰＵ６０は、アクセスレベルが３であると判定した場合（ステップＳ８１でＹＥＳ）、後述の送信要求処理を実行する。（ステップＳ８２）。ＣＰＵ６０は、要求元名刺情報をＲＡＭ１２から削除して（ステップＳ８３）、情報問合せ処理を終了する。ＣＰＵ６０は、アクセスレベルが３でないと判定した場合（ステップＳ８１でＮＯ）、要求元名刺情報をＲＡＭ１２から削除して（ステップＳ８３）、情報問合せ処理を終了する。
【００９３】
図２４は、実施の形態１に係る認証処理の手順を示すフローチャートである。認証処理は、図２３のステップＳ７２で実行される。第１認証サーバ装置１のＣＰＵ１０は、受信した情報要求に含まれる登録名刺情報及び要求先名刺情報の対を名刺データ１４３から検索する（ステップＳ９１）。ＣＰＵ１０は、検索の結果、要求元名刺情報及び要求先名刺情報の対があるか否かを判定する（ステップＳ９２）。ＣＰＵ１０は、名刺情報の対があると判定した場合（ステップＳ９２でＹＥＳ）、要求先名刺情報と対応して履歴データ１４４に面会日時として記憶してある登録交換日時を読み出す（ステップＳ９３）。ＣＰＵ１０は、情報要求に含まれる交換日時が、登録交換日時から所定期間内前後であるか否かを判定する（ステップＳ９４）。
【００９４】
ＣＰＵ１０は、所定期間内前後であると判定した場合（ステップＳ９４でＹＥＳ）、要求先名刺情報と対応して履歴データ１４４に面会日時として記憶してある登録交換場所を読み出す（ステップＳ９５）。ＣＰＵ１０は、情報要求に含まれる交換場所が登録交換場所から所定距離以内であるか否かを判定する（ステップＳ９６）。ＣＰＵ１０は、所定距離以内であると判定した場合（ステップＳ９６でＹＥＳ）、要求元名刺情報が示す相手に対応するアクセスレベルをアクセスレベル表１４２から読み出す（ステップＳ９７）。ＣＰＵ１０は、情報要求に含まれる要求元名刺情報を含む通知メールを会社Ａの関係者に送信して（ステップＳ９８）、認証処理を終了する。
【００９５】
ＣＰＵ１０は、名刺情報の対があるか否かを判定するステップＳ９２において、名刺情報の対がないと判定した場合（ステップＳ９２でＮＯ）、アクセスレベルに１を設定して（ステップＳ９９）、認証処理を終了する。ＣＰＵ１０は、所定期間内前後であるか否かを判定するステップＳ９４において、所定期間内前後でないと判定した場合（ステップＳ９４でＮＯ）、アクセスレベルに１を設定して（ステップＳ９９）、認証処理を終了する。ＣＰＵ１０は、所定距離内であるか否かを判定するステップＳ９６において、所定距離内でないと判定した場合（ステップＳ９６でＮＯ）、アクセスレベルに１を設定して（ステップＳ９９）、認証処理を終了する。
【００９６】
図２５は、実施の形態１に係る送信要求処理の手順を示すフローチャートである。送信要求処理は、図２３のステップＳ８２で実行される。ＰＤＡ６のＣＰＵ６０は、情報表示画面に送信ボタンを表示して（ステップＳ１１１）、操作を受付ける（ステップＳ１１２）。ＣＰＵ６０は、送信ボタンが押下されたか否かを判定する（ステップＳ１１３）。ＣＰＵ６０は、送信ボタンが押下されたと判定した場合（ステップＳ１１３でＹＥＳ）、送信要求を第１認証サーバ装置１に送信する（ステップＳ１１４）。ＣＰＵ６０は、送信ボタンが押下されていないと判定した場合（ステップＳ１１３でＮＯ）、送信要求処理を終了する。第１認証サーバ装置１のＣＰＵ１０は、ＰＤＡ６から送られてきた送信要求を受信して（ステップＳ１１５）、ＰＤＡ６に送信してある個人情報を第２管理サーバ装置５に対しても送信し（ステップＳ１１６）、送信要求処理を終了する。
【００９７】
本実施の形態１は、各ＰＤＡ６から受付けたアクセスに自己名刺情報及び相手名刺情報の二つの名刺情報の対が含まれる場合に正当な相手からのアクセスであると判定する場合を示したが、略同一の日時及び場所で名刺交換された複数の名刺の名刺情報の組がアクセスに含まれている場合に正当な相手からのアクセスであると判定してもよい。この場合、第１認証サーバ装置１及び第２認証サーバ装置４夫々が記憶する各名刺データ１４３及び各名刺データ４４３には、名刺交換をした複数の名刺情報の組を記憶するとよい。また、この場合、会社Ｂの第１認証サーバ装置１にアクセスする際に、名刺交換された会社Ａ及び会社Ｂの社員の名刺全てを読込ませて名刺情報の組を取得するとよい。読込む会社Ａの名刺は、１つに限るものではなく、例えば、会社Ａの複数の社員が会社Ｂの社員と面会して名刺交換を行った場合、会社Ａの複数の社員の名刺夫々を会社Ｂの社員の名刺と共に読込むようにするとよい。また、例えば、会社Ａの複数の社員が会社Ｂの複数の社員と面会して名刺交換を行った場合、会社Ａの複数の社員の名刺を会社Ｂの複数の社員の名刺と共に読込み、社員情報を確認すべく会社Ｂの一人の社員を特定してＰＤＡ６から第１認証サーバ装置１へアクセスするとよい。
【００９８】
実施の形態２
図２６は、実施の形態２に係る認証システムの構成例を示す模式図である。本実施の形態２は、実施の形態１が会社Ａに認証装置としての認証サーバ装置が設置してあるのに対して、インターネット網を介して各社に認証サービスを提供する認証装置としての認証サーバ装置が設置してある。図中７は、認証装置としての認証サーバ装置であり、インターネット網Ｎを介し、会社Ａに設置してある第１管理サーバ装置２と、会社Ａの社員による操作を受付けるＰＣ３，３，…と、会社Ｂに設置してある第２管理サーバ装置５と、会社Ｂの各社員による操作を受付けるＰＤＡ６，６，…とが接続してある。
【００９９】
認証サーバ装置７は、会社Ａ及び会社Ｂの社員の名刺及び会社Ａ及び会社Ｂの社員が名刺交換により受け取った相手の名刺夫々に記載の名刺情報を登録すると共に、第１管理サーバ装置２及び第２管理サーバ装置５が管理しているスケジュールを参照して名刺交換を行った相手との面会履歴を記憶するようにしてある。各ＰＤＡ６は、無線基地局Ｗとの間で無線通信を行い、ネットワーク網Ｎを介して認証サーバ装置７の間で通信可能にしてある。各ＰＤＡ６は、名刺交換したユーザの名刺及び相手の名刺を読み取って名刺情報の対を取得し、名刺交換した交換日時及び交換場所と共に認証サーバ装置７に送信して登録するようにしてある。
【０１００】
認証装置としての認証サーバ装置７は、各ＰＤＡ６から受付けたアクセスを認証して名刺交換した正当な相手からのものであると判定した場合、各ＰＤＡ６からの問合せに応じて第１管理サーバ装置２が管理している個人情報を送信するようにしてある。また、認証サーバ装置７は、各ＰＤＡ６からの問合せに応じて面会履歴を送信するようにしてある。第１管理サーバ装置２及び第２管理サーバ装置５は、認証サーバ装置７及びネットワーク網Ｎを介して個人情報を互いに通信可能にしてあり、相手先から個人情報を受信した場合、当該個人情報を記憶するようにしてある。各ＰＤＡ６は、認証サーバ装置７から取得した面会履歴と、会社Ａの社員の個人情報とを表示するようにしてある。
【０１０１】
図２７は、実施の形態２に係る認証サーバ装置７の内部構成例を示すブロック図である。認証サーバ装置７は、対記憶手段としてのハードディスクからなる記憶部７４と、各種処理を行うＣＰＵ７０と、ＣＰＵ７０で実行されるプログラムを記憶してあるＲＯＭ７１とを備え、ＲＡＭ１２は、ＲＯＭ７１から読み出したプログラムを記憶するようにしてある。ＣＰＵ７０は、バス７０ａを介して接続してあるハードウェア各部を制御するようにしてある。ネットワーク通信部１３は、名刺情報を各ＰＤＡ６及び各ＰＣ３から受信するようにしてある。
【０１０２】
記憶部７４は、ネットワーク通信部１３が受信した名刺情報を会社Ｂの各社員及び会社Ａの各社員に対応して名刺データ１４３，１４３，…及び名刺データ４４３，４４３，…に記憶するようにしてある。また、記憶部７４は、会社Ａ及び会社Ｂの各社員の社員名及びパスワードからなる社員管理表７４１と、会社Ａ及び会社Ｂの各社員に対応しており名刺交換した相手との面会履歴を示す履歴データ１４４，１４４，…及び履歴データ４４４，４４４，…とを記憶するようにしてある。
【０１０３】
認証サーバ装置７は、ＰＤＡ６から受付けたアクセスを認証し、名刺交換をした正当な相手からのアクセスであると判定した場合、第１管理サーバ装置２が管理している個人情報をアクセス元の各ＰＤＡ６及び第２管理サーバ装置５に送信する。
【０１０４】
本実施の形態２は以上の如き構成としてあり、その他の構成及び作用は実施の形態１と同様であるので対応する部分には同一の符号を付してその詳細な説明を省略する。
【０１０５】
実施の形態３
図２８は、実施の形態３に係る名刺入れ及び名刺を示す模式的斜視図である。図中１００は、名刺交換に用いる名刺が収納される名刺入れを示しており、名刺が収納される収納部１０１と、蓋１０２と、収納部の内側に配置されており、図示しない電源部から電源が供給される通信部１０３とを備える。名刺入れ１００に収納される名刺１１０は、近接型の電磁誘導方式による非接触型ＩＣタグ１１１が表面に貼設してある。非接触型ＩＣタグ１１１は、従来技術であり、通信部１０３から所定の通信距離内に位置する場合、通信部１０３から日時を受信して記憶するようにしてある。通信距離は、例えば１ｃｍであり、名刺１１０が収納部１０１に収納された場合、非接触型ＩＣタグ１１１及び通信部１０３間の通信距離以下となればよい。また、通信部１０３は、非接触型ＩＣタグ１１１へ無線波を介して給電すると共に、所定時間間隔で日時を送信するようにしてある。
【０１０６】
図２９は、実施の形態３に係る通信部１０３及び非接触型ＩＣタグ１１１の内部構成例を示すブロック図である。通信部１０３は、時計部１０５と、時計部１０５で計時されている日時を名刺１１０に送信する送信部１０６と、バス１０４ａを介して接続してあるハードウェア各部を制御するＭＣＵ（ Micro Control Unit ）１０４とを備える。ＭＣＵ１０４は、送信部１０６に日時を送信させることにより、名刺１１０に日時を記録させる記録手段と、所定時間間隔で時計部１０５が計時している日時を送信させることにより、名刺１１０に記録された日時を書換える書換手段としても機能する。所定時間間隔は、例えば１０分とするとよい。非接触型ＩＣタグ１１１は、送信部１０６から送られてきた日時を受信する受信部１１６と、受信した日時を記録する記憶部１１５と、バス１１４ａを介して接続してあるハードウェア各部を制御するＭＣＵ１１４とを備える。
【０１０７】
名刺１１０の非接触型ＩＣタグ１１１は、名刺入れ１００に名刺１１０が収納されて通信部１０３から日時を受信した場合、受信した日時を用いて記憶部１１５に記録してある日時を書換える。名刺交換をすべく名刺１１０を名刺入れ１００から取出した場合、非接触型ＩＣタグ１１１が通信部１０３から通信距離外に位置することになり、受信部１１６は、日時を受信せず非接触ＩＣタグ１１１に記録してある日時が書換えられない。これにより、名刺入れ１００から取出した名刺１１０には、取出した日時に対応する日時が記録される。各ＰＤＡ６に非接触ＩＣタグ１１１が記録している日時を読み取る読取部を設けることにより、当該日時をアクセスを認証するための交換日時として取得可能となる。
【０１０８】
本実施の形態３は以上の如き構成としてあり、その他の構成及び作用は実施の形態１と同様であるので対応する部分には同一の符号を付してその詳細な説明を省略する。
【０１０９】
実施の形態４
図３０は、実施の形態４に係る第１認証装置の内部構成例を示すブロック図である。本実施の形態４は、実施の形態１がＲＯＭに記憶してあるコンピュータプログラムを読み出して実行するのに対し、書き換え可能なＥＥＰＲＯＭ（ Electrically Erasable Programmable Read-Only Memory ）に記録してあるコンピュータプログラムを読み出して実行するようにしてある。図中８は、第１認証装置であり、ＣＰＵ１０にバス１０ａを介して接続されたフラッシュメモリ等からなるＥＥＰＲＯＭ８１及び記録媒体読込部８２を備える。
【０１１０】
第１認証装置８は、記録媒体読込部８２に挿入されたＣＤ（ Compact Disc ）−ＲＯＭ又はＤＶＤ（ Digital Versatile Disc ）−ＲＯＭ等の記録媒体８２０からコンピュータプログラム８２１を読み込んでＥＥＰＲＯＭ８１に記憶するようにしてある。ＣＰＵ１０は、ＥＥＰＲＯＭ８１から読み出された本発明のコンピュータプログラム８２１に従って、第１認証装置８に必要な処理を実行する構成となっている。コンピュータプログラム８２１は、名刺交換時に相手に渡した名刺及び相手から受け取った名刺夫々の名刺情報の対を記憶させ（対記憶ステップ）、アクセスを受信した場合、当該アクセスに含まれる対が記憶してある対と一致するか否かを判定して（対判定ステップ）認証する。コンピュータプログラム８２１は、一致すると判定した場合、認証の結果、正当なアクセスである旨を出力する（出力ステップ）。
【０１１１】
本発明に係るコンピュータプログラム８２１は、記録媒体８２０から読み出してＥＥＰＲＯＭ８１に記憶される場合に限るものではなく、ＣＰＵ１０に接続された図示しない通信部とコンピュータプログラム８２１を記憶している外部のコンピュータとの間で通信ネットワークを介して相互に接続し、係るコンピュータプログラム８２１をＥＥＰＲＯＭ８１へダウンロードしても良い。
【０１１２】
本実施の形態４は以上の如き構成としてあり、その他の構成、作用及び処理は実施の形態１と同様であるので対応する部分には同一の符号及び処理名を付してその詳細な説明を省略する。
【符号の説明】
【０１１３】
１  第１認証サーバ装置
２  第１管理サーバ装置
３  ＰＣ
４  第２認証サーバ装置
５  第２管理サーバ装置
６  ＰＤＡ
７  認証サーバ装置
Ｗ  無線基地局
Ｎ  ネットワーク網
１０，２０，４０，５０，６０，７０  ＣＰＵ
１０ａ，２０ａ，４０，５０ａ，６０ａ，７０ａ  バス
１１，２１，４１，５１，６１，７１  ＲＯＭ
１２  ＲＡＭ
１３  ネットワーク通信部
１４，２４，４４，５４，６４，７４  記憶部
１４１，４４１  社員管理表
１４２，７４２  アクセスレベル表
１４３，４４３  名刺データ
１４４，４４４  履歴データ
２４１，５４１  自社社員データ
２４２，５４２  他社社員データ
２４３，５４３  スケジュール表
６２  位置取得部
６３  タッチパネル部
６４  表示部
６５  撮像部
６６  時計部
８１  ＥＥＰＲＯＭ
８３  記録媒体読込部
８２０  記録媒体
８３１  コンピュータプログラム
１００  名刺入れ
１０１  収納部
１０２  蓋
１０３  通信部
１０４，１１４  ＭＣＵ
１０４ａ，１１４ａ  バス
１０５  時計部
１０６  送信部
１１０  名刺
１１１  非接触型ＩＣタグ
１１５  記憶部
１１６  受信部
【図１】
2010182117.tif 000003
【図２】
2010182117.tif 000004
【図３】
2010182117.tif 000005
【図４】
2010182117.tif 000006
【図５】
2010182117.tif 000007
【図６】
2010182117.tif 000008
【図７】
2010182117.tif 000009
【図８】
2010182117.tif 000010
【図９】
2010182117.tif 000011
【図１０】
2010182117.tif 000012
【図１１】
2010182117.tif 000013
【図１２】
2010182117.tif 000014
【図１３】
2010182117.tif 000015
【図１４】
2010182117.tif 000016
【図１５】
2010182117.tif 000017
【図１６】
2010182117.tif 000018
【図１７】
2010182117.tif 000019
【図１８】
2010182117.tif 000020
【図１９】
2010182117.tif 000021
【図２０】
2010182117.tif 000022
【図２１】
2010182117.tif 000023
【図２２】
2010182117.tif 000024
【図２３】
2010182117.tif 000025
【図２４】
2010182117.tif 000026
【図２５】
2010182117.tif 000027
【図２６】
2010182117.tif 000028
【図２７】
2010182117.tif 000029
【図２８】
2010182117.tif 000030
【図２９】
2010182117.tif 000031
【図３０】
2010182117.tif 000032